(57)【要約】【課題】パッシブ駆動型有機ＥＬ表示装置の消費電力を低減する。【解決手段】走査電極駆動回路１１は、選択した走査電極には接地電圧よりも低い電圧（−Ｖａ）を印加し、残余の走査電極には接地電圧よりも高い電圧Ｖｂを印加する。データ電極駆動回路１２は、発光すべき有機ＥＬ素子に対応したデータ電極には定電流源の出力側電圧Ｖｃを印加し、残余のデータ電極には接地電圧を印加する。選択した走査電極に負の電圧（−Ｖａ）を印加して線順次駆動を行えば、残余の走査電極に印加する正の電圧Ｖｂを下げられる。よって、発光すべき有機ＥＬ素子と異なる行かつ異なる列に配置された有機ＥＬ素子の充放電による消費電力を低減できる。【選択図】図３
2006349928.tif 000002
【特許請求の範囲】
【請求項１】
複数の走査電極と複数のデータ電極との交点に設けられた有機エレクトロルミネッセンス素子を駆動する、有機エレクトロルミネッセンス素子の駆動回路であって、
前記走査電極のうち、選択された走査電極には接地電圧よりも低い第１の電圧を印加するとともに、残余の走査電極には接地電圧よりも高い第２の電圧を印加する走査電極駆動回路と、
前記データ電極のうち、発光すべき有機エレクトロルミネッセンス素子に対応したデータ電極には第３の電圧を印加するとともに、残余のデータ電極には接地電圧を印加するデータ電極駆動回路とを備えた、有機エレクトロルミネッセンス素子の駆動回路。
【請求項２】
前記データ電極駆動回路は、前記第３の電圧を印加する前に、すべての前記データ電極に接地電圧を印加し、
前記走査電極駆動回路は、その間、選択された走査電極には前記第１の電圧を印加するとともに、残余の走査電極には接地電圧を印加することを特徴とする、請求項１に記載の駆動回路。
【請求項３】
前記走査電極駆動回路は、前記走査電極に印加される電圧を、前記第１の電圧と前記第２の電圧と接地電圧とに切り替えるスイッチを含み、
前記データ電極駆動回路は、前記データ電極に印加される電圧を、前記第３の電圧と接地電圧とに切り替えるスイッチを含むことを特徴とする、請求項２に記載の駆動回路。
【請求項４】
前記データ電極駆動回路は、前記第３の電圧を印加する前に、前記データ電極のうち、発光すべき有機エレクトロルミネッセンス素子に対応したデータ電極には特定の電圧を印加せず、残余のデータ電極には接地電圧を印加することを特徴とする、請求項１に記載の駆動回路。
【請求項５】
前記走査電極駆動回路は、前記走査電極に印加される電圧を、前記第１の電圧と前記第２の電圧とに切り替えるスイッチを含み、
前記データ電極駆動回路は、前記データ電極に対して、前記第３の電圧を印加するか、接地電圧を印加するか、あるいは、前記第３の電圧も接地電圧も印加しないかを切り替えるスイッチを含むことを特徴とする、請求項４に記載の駆動回路。
【請求項６】
前記データ電極駆動回路は、前記第３の電圧を印加する前に、前記データ電極のうち、発光すべき有機エレクトロルミネッセンス素子に対応したデータ電極には第４の電圧を印加するとともに、残余のデータ電極には接地電圧を印加することを特徴とする、請求項１に記載の駆動回路。
【請求項７】
前記走査電極駆動回路は、前記走査電極に印加される電圧を、前記第１の電圧と前記第２の電圧とに切り替えるスイッチを含み、
前記データ電極駆動回路は、前記データ電極に印加される電圧を、前記第３の電圧と前記第４の電圧と接地電圧とに切り替えるスイッチを含むことを特徴とする、請求項６に記載の駆動回路。
【請求項８】
前記第１の電圧の絶対値が前記有機エレクトロルミネッセンス素子の発光開始電圧よりも小さいことを特徴とする、請求項１に記載の駆動回路。
【請求項９】
複数の走査電極と複数のデータ電極との交点に設けられた有機エレクトロルミネッセンス素子を駆動する、有機エレクトロルミネッセンス素子の駆動方法であって、
前記走査電極のうち、選択された走査電極には接地電圧よりも低い第１の電圧を印加するとともに、残余の走査電極には接地電圧よりも高い第２の電圧を印加するステップと、
前記データ電極のうち、発光すべき有機エレクトロルミネッセンス素子に対応したデータ電極には第３の電圧を印加するとともに、残余のデータ電極には接地電圧を印加するステップとを備えた、有機エレクトロルミネッセンス素子の駆動方法。
【請求項１０】
前記第３の電圧を印加する前に、選択された走査電極には前記第１の電圧を印加するとともに、残余の走査電極およびすべての前記データ電極には接地電圧を印加するステップをさらに備えた、請求項９に記載の駆動方法。
【請求項１１】
前記第３の電圧を印加する前に、前記データ電極のうち、発光すべき有機エレクトロルミネッセンス素子に対応したデータ電極には特定の電圧を印加せず、残余のデータ電極には接地電圧を印加するステップをさらに備えた、請求項９に記載の駆動方法。
【請求項１２】
前記第３の電圧を印加する前に、前記データ電極のうち、発光すべき有機エレクトロルミネッセンス素子に対応したデータ電極には第４の電圧を印加するとともに、残余のデータ電極には接地電圧を印加するステップをさらに備えた、請求項９に記載の駆動方法。
【発明の詳細な説明】
【技術分野】
【０００１】
本発明は、有機エレクトロルミネッセンス（以下、ＥＬと略称する）素子を用いた表示装置に関し、より詳細には、パッシブ駆動型有機ＥＬ表示装置の駆動回路および駆動方法に関する。
【背景技術】
【０００２】
近年、自発光型素子として、有機ＥＬ素子を用いた表示装置が研究開発されている。中でも、パッシブ駆動型有機ＥＬ表示装置は、視認性が良く薄型であるために、携帯電話の背面用表示装置などに実用化されている。
【０００３】
従来の有機ＥＬ表示装置の駆動回路および駆動方法は、例えば特許文献１に開示されている（図１３〜図１６を参照）。有機ＥＬ表示装置は、データ電極Ｘ1 〜Ｘm と、走査電極Ｙ1 〜Ｙn と、これら電極の交点に設けられた有機ＥＬ素子Ｅ1,1 〜Ｅm,n とを備えている。１個の有機ＥＬ素子は、ダイオードおよびコンデンサの並列接続回路と電気的に等価である。図１３〜図１６では、発光している有機ＥＬ素子はダイオードで、発光していない有機ＥＬ素子はコンデンサで表されている。
【０００４】
有機ＥＬ素子Ｅ1,1 〜Ｅm,n は、走査電極駆動回路１およびデータ電極駆動回路２ａ、２ｂによって駆動される。走査電極駆動回路１に含まれるスイッチＳＹ1 〜ＳＹn は、走査電極Ｙ1 〜Ｙn に印加される電圧を、電源電圧Ｖｃｃと接地電圧（ゼロ電圧）との間で切り替える。データ電極駆動回路２ａに含まれるスイッチＳＸ1 〜ＳＸm は、データ電極Ｘ1 〜Ｘm に定電流源の出力側電圧を印加するか否かを切り替える。データ電極駆動回路２ｂに含まれるスイッチＳＺ1 〜ＳＺm は、データ電極Ｘ1 〜Ｘm に接地電圧を印加するか否かを切り替える。これら３種類のスイッチの状態は、発光制御回路（図示せず）から出力された制御信号（図示せず）によって切り替えられる。なお、一般に、定電流源の出力側電圧は有機ＥＬ素子のインピーダンスや電極の配線抵抗によって変動するが、ここでは、説明を簡単化するために、定電流源の出力側電圧は常に電源電圧Ｖｃｃに等しいとする。
【０００５】
例えば、１行目に配置された有機ＥＬ素子Ｅ1,1 、Ｅ2,1 を発光させた後に、２行目に配置された有機ＥＬ素子Ｅ2,2 、Ｅ3,2 を発光させる場合には、走査電極駆動回路１およびデータ電極駆動回路２ａ、２ｂは以下のように動作する。有機ＥＬ素子Ｅ1,1 、Ｅ2,1 を発光させるときには、走査電極駆動回路１ではスイッチＳＹ1 は接地電圧側に、スイッチＳＹ2 〜ＳＹn は電源電圧Ｖｃｃ側に接続し、データ電極駆動回路２ａ、２ｂではスイッチＳＸ1 、ＳＸ2 、ＳＺ3 〜ＳＺm がオン状態となり、それ以外のスイッチはオフ状態となる（図１３を参照）。このとき有機ＥＬ素子Ｅ1,1 、Ｅ2,1 のアノード電圧はカソード電圧よりも十分に高くなるので、図１３に示す方向に電流が流れる。これにより、有機ＥＬ素子Ｅ1,1 、Ｅ2,1 は発光する。
【０００６】
それ以外の有機ＥＬ素子は、発光する有機ＥＬ素子と同じ行に配置されたもの（第１グループ：Ｇ１）と、発光する有機ＥＬ素子のいずれかと同じ列に配置されたもの（第２グループ：Ｇ２）と、発光する有機ＥＬ素子と異なる行かつ異なる列に配置されたもの（第３グループ：Ｇ３）とに分類される。第１および第２グループ内の有機ＥＬ素子ではアノード電圧はカソード電圧に一致し、第３グループ内の有機ＥＬ素子ではアノード電圧はカソード電圧よりも低くなる。このため、第１〜第３グループ内の有機ＥＬ素子は、いずれも発光しない。このとき、第３グループ内の有機ＥＬ素子には逆方向に電圧Ｖｃｃが印加される。これにより、第３グループ内の有機ＥＬ素子は電圧Ｖｃｃによって充電される。
【０００７】
次に、走査電極駆動回路１ではスイッチＳＹ1 〜ＳＹn は接地電圧側に接続し、データ電極駆動回路２ａ、２ｂではスイッチＳＸ1 〜ＳＸm がオフ状態となり、スイッチＳＺ1 〜ＳＺm がオン状態となる（図１４を参照）。これにより、第３グループ内の有機ＥＬ素子に充電されていた電荷は、すべて放電される。
【０００８】
次に、有機ＥＬ素子Ｅ2,2 、Ｅ3,2 を発光させるときには、走査電極駆動回路１ではスイッチＳＹ2 は接地電圧側に、スイッチＳＹ1 、ＳＹ3 〜ＳＹn は電源電圧Ｖｃｃ側に接続し、データ電極駆動回路２ａ、２ｂではスイッチＳＸ2 、ＳＸ3 、ＳＺ1 、ＳＺ4 〜ＳＺm がオン状態となり、それ以外のスイッチはオフ状態となる（図１５を参照）。このようにスイッチの状態が変化すると、有機ＥＬ素子Ｅ2,2 、Ｅ3,2 には図１５に示す複数のルートで電流が流れ込み、有機ＥＬ素子Ｅ2,2 、Ｅ3,2 は高速に充電される。これにより、有機ＥＬ素子Ｅ2,2 、Ｅ3,2 は短時間で発光を開始し、有機ＥＬ表示装置は図１６に示す定常状態に瞬時に移行する。以上の一連の動作によって、線順次駆動が行われる。
【０００９】
これ以外にも、特許文献２には、図１３と同様の構成を有する有機ＥＬ表示装置において、発光すべきでない有機ＥＬ素子に対応したデータ電極には有機ＥＬ素子の発光開始電圧よりも低い所定の電圧ＶL を印加することが開示されている。
【特許文献１】特許第３３１４０４６号明細書
【特許文献２】特許第３６０９２９９号明細書
【発明の開示】
【発明が解決しようとする課題】
【００１０】
特許文献１に開示された有機ＥＬ表示装置では、発光すべき有機ＥＬ素子に電圧Ｖｃｃを印加すると、発光する有機ＥＬ素子と異なる行かつ異なる列に配置された有機ＥＬ素子（すなわち、第３グループ内の有機ＥＬ素子）に逆方向に電圧Ｖｃｃが印加される。このため、第３グループ内の有機ＥＬ素子は、電圧Ｖｃｃによって充電される。充電された電荷は、走査電極とデータ電極とが共に接地電圧に接続されたときに放電される。
【００１１】
第３グループ内の有機ＥＬ素子における充放電によって、電源電圧Ｖｃｃの２乗に比例する電力が消費される。ところが、第３グループ内の有機ＥＬ素子における充放電は、有機ＥＬ素子の発光とは無関係である。このように、特許文献１に開示された有機ＥＬ表示装置では、発光する有機ＥＬ素子と異なる行かつ異なる列に配置された有機ＥＬ素子における充放電によって、電源電圧Ｖｃｃの２乗に比例する電力が無駄に消費されている。
【００１２】
特許文献２には、この問題に対する１つの解決策として、発光すべきでない有機ＥＬ素子に対応したデータ電極には有機ＥＬ素子の発光開始電圧よりも低い所定の電圧ＶL を印加することが開示されている。しかしながら、有機ＥＬ素子の特性や有機ＥＬ表示装置の構成によっては、特許文献２に開示された方法以外の方法が好ましい場合がある。
【００１３】
それ故に、本発明は、従来とは異なる方法で、発光とは無関係な消費電力を削減できる有機ＥＬ素子の駆動回路および駆動方法を提供することを目的とする。
【課題を解決するための手段】
【００１４】
第１の発明は、複数の走査電極と複数のデータ電極との交点に設けられた有機エレクトロルミネッセンス素子を駆動する、有機エレクトロルミネッセンス素子の駆動回路であって、
前記走査電極のうち、選択された走査電極には接地電圧よりも低い第１の電圧を印加するとともに、残余の走査電極には接地電圧よりも高い第２の電圧を印加する走査電極駆動回路と、
前記データ電極のうち、発光すべき有機エレクトロルミネッセンス素子に対応したデータ電極には第３の電圧を印加するとともに、残余のデータ電極には接地電圧を印加するデータ電極駆動回路とを備える。
【００１５】
第２の発明は、第１の発明において、
前記データ電極駆動回路は、前記第３の電圧を印加する前に、すべての前記データ電極に接地電圧を印加し、
前記走査電極駆動回路は、その間、選択された走査電極には前記第１の電圧を印加するとともに、残余の走査電極には接地電圧を印加することを特徴とする。
【００１６】
第３の発明は、第２の発明において、
前記走査電極駆動回路は、前記走査電極に印加される電圧を、前記第１の電圧と前記第２の電圧と接地電圧とに切り替えるスイッチを含み、
前記データ電極駆動回路は、前記データ電極に印加される電圧を、前記第３の電圧と接地電圧とに切り替えるスイッチを含むことを特徴とする。
【００１７】
第４の発明は、第１の発明において、
前記データ電極駆動回路は、前記第３の電圧を印加する前に、前記データ電極のうち、発光すべき有機エレクトロルミネッセンス素子に対応したデータ電極には特定の電圧を印加せず、残余のデータ電極には接地電圧を印加することを特徴とする。
【００１８】
第５の発明は、第４の発明において、
前記走査電極駆動回路は、前記走査電極に印加される電圧を、前記第１の電圧と前記第２の電圧とに切り替えるスイッチを含み、
前記データ電極駆動回路は、前記データ電極に対して、前記第３の電圧を印加するか、接地電圧を印加するか、あるいは、前記第３の電圧も接地電圧も印加しないかを切り替えるスイッチを含むことを特徴とする。
【００１９】
第６の発明は、第１の発明において、
前記データ電極駆動回路は、前記第３の電圧を印加する前に、前記データ電極のうち、発光すべき有機エレクトロルミネッセンス素子に対応したデータ電極には第４の電圧を印加するとともに、残余のデータ電極には接地電圧を印加することを特徴とする。
【００２０】
第７の発明は、第６の発明において、
前記走査電極駆動回路は、前記走査電極に印加される電圧を、前記第１の電圧と前記第２の電圧とに切り替えるスイッチを含み、
前記データ電極駆動回路は、前記データ電極に印加される電圧を、前記第３の電圧と前記第４の電圧と接地電圧とに切り替えるスイッチを含むことを特徴とする。
【００２１】
第８の発明は、第１の発明において、
前記第１の電圧の絶対値が前記有機エレクトロルミネッセンス素子の発光開始電圧よりも小さいことを特徴とする。
【００２２】
第９の発明は、複数の走査電極と複数のデータ電極との交点に設けられた有機エレクトロルミネッセンス素子を駆動する、有機エレクトロルミネッセンス素子の駆動方法であって、
前記走査電極のうち、選択された走査電極には接地電圧よりも低い第１の電圧を印加するとともに、残余の走査電極には接地電圧よりも高い第２の電圧を印加するステップと、
前記データ電極のうち、発光すべき有機エレクトロルミネッセンス素子に対応したデータ電極には第３の電圧を印加するとともに、残余のデータ電極には接地電圧を印加するステップとを備える。
【００２３】
第１０の発明は、第９の発明において、
前記第３の電圧を印加する前に、選択された走査電極には前記第１の電圧を印加するとともに、残余の走査電極およびすべての前記データ電極には接地電圧を印加するステップをさらに備える。
【００２４】
第１１の発明は、第９の発明において、
前記第３の電圧を印加する前に、前記データ電極のうち、発光すべき有機エレクトロルミネッセンス素子に対応したデータ電極には特定の電圧を印加せず、残余のデータ電極には接地電圧を印加するステップをさらに備える。
【００２５】
第１２の発明は、第９の発明において、
前記第３の電圧を印加する前に、前記データ電極のうち、発光すべき有機エレクトロルミネッセンス素子に対応したデータ電極には第４の電圧を印加するとともに、残余のデータ電極には接地電圧を印加するステップをさらに備える。
【発明の効果】
【００２６】
上記第１または第９の発明によれば、発光する有機ＥＬ素子と異なる行かつ異なる列に配置された有機ＥＬ素子は第２の電圧によって充電される。したがって、第２の電圧を下げることにより、発光とは無関係な消費電力を削減し、有機ＥＬ表示装置の消費電力を削減することができる。
【００２７】
上記第２、第３または第１０の発明によれば、選択する走査電極を切り替えるときに、有機ＥＬ素子に充電された電荷を放電しながら、発光とは無関係な消費電力を削減することができる。
【００２８】
上記第４、第５または第１１の発明によれば、より少ないコストで、発光とは無関係な消費電力を削減することができる。
【００２９】
上記第６、第７または第１２の発明によれば、有機ＥＬ素子を短時間で発光させながら、発光とは無関係な消費電力を削減することができる。
【００３０】
上記第８の発明によれば、発光すべきでない有機ＥＬ素子が発光することを防止することができる。
【発明を実施するための最良の形態】
【００３１】
（第１の実施形態）
図１〜図４は、本発明の第１の実施形態に係る有機ＥＬ表示装置の構成と動作を示す図である。有機ＥＬ表示装置は、図１〜図４に示すように、ｍ個のデータ電極Ｘ1 〜Ｘm と、ｎ個の走査電極Ｙ1 〜Ｙn と、（ｍ×ｎ）個の有機ＥＬ素子Ｅ1,1 〜Ｅm,n とを備えている。走査電極Ｙ1 〜Ｙn は互いに平行に設けられ、データ電極Ｘ1 〜Ｘm は互いに平行に、かつ、走査電極Ｙ1 〜Ｙn に直交するように設けられる。データ電極Ｘ1 〜Ｘm と走査電極Ｙ1 〜Ｙn とは（ｍ×ｎ）箇所で交差し、有機ＥＬ素子Ｅ1,1 〜Ｅm,n は（ｍ×ｎ）個の交点のそれぞれに設けられる。
【００３２】
有機ＥＬ素子Ｅ1,1 〜Ｅm,n の駆動回路は、走査電極駆動回路１１とデータ電極駆動回路１２とを備えている。走査電極駆動回路１１は、各走査電極Ｙj （ｊは１以上ｎ以下の整数；以下、同じ）について３個のスイッチＳＤj 、ＳＵj 、ＳＧj を含み、これらのスイッチを用いて走査電極Ｙj を駆動する。スイッチＳＤj は、走査電極Ｙj を接地電圧（ゼロ電圧）よりも低い電圧（−Ｖａ）に接続するか否かを切り替える。スイッチＳＵj は、走査電極Ｙj を接地電圧よりも高い電圧Ｖｂに接続するか否かを切り替える。スイッチＳＧj は、走査電極Ｙj を接地電圧に接続するか否かを切り替える。
【００３３】
データ電極駆動回路１２は、各データ電極Ｘi （ｉは１以上ｍ以下の整数；以下、同じ）について２個のスイッチＤＵi 、ＤＤi を含み、これらのスイッチを用いてデータ電極Ｘi を駆動する。スイッチＤＵi は、データ電極Ｘi を定電流源の出力側電圧に接続するか否かを切り替える。スイッチＤＤi は、データ電極Ｘi を接地電圧に接続するか否かを切り替える。
【００３４】
走査電極駆動回路１１は、走査電極Ｙ1 〜Ｙn に印加される電圧を電圧（−Ｖａ）と電圧Ｖｂと接地電圧との間で切り替えることにより、走査電極Ｙ1 〜Ｙn の中から１個の走査電極を選択する。これにより、１行分の有機ＥＬ素子が選択される。データ電極駆動回路１２は、データ電極Ｘ1 〜Ｘm に印加される電圧を定電流源の出力側電圧と接地電圧との間で切り替える。これにより、選択された１行分の有機ＥＬ素子に対して、１行分の表示データが供給される。有機ＥＬ素子Ｅ1,1 〜Ｅm,n の各行について走査電極駆動回路１１およびデータ電極駆動回路１２が上記のように動作することにより、有機ＥＬ表示装置は画面表示を行う。
【００３５】
以下、走査電極Ｙ1 〜Ｙn のうち、走査電極駆動回路１１によって選択された走査電極を「選択走査電極」といい、残余の走査電極を「非選択走査電極」という。また、データ電極Ｘ1 〜Ｘm のうち、発光すべき有機ＥＬ素子に対応したデータ電極を「点灯データ電極」、残余のデータ電極を「非点灯データ電極」という。選択走査電極と点灯データ電極との交点に設けられた有機ＥＬ素子は発光し、その他の有機ＥＬ素子は発光しない。発光しない有機ＥＬ素子は、以下の３つのグループに分類される。
第１グループ：発光する有機ＥＬ素子と同じ行に配置されたもの
第２グループ：発光する有機ＥＬ素子のいずれかと同じ列に配置されたもの
第３グループ：発光する有機ＥＬ素子と異なる行かつ異なる列に配置されたもの
【００３６】
走査電極駆動回路１１およびデータ電極駆動回路１２に含まれるスイッチの状態は、以下のように変化する。まず走査電極駆動回路１１では、スイッチＳＤ1 〜ＳＤn のうち選択走査電極に対応したものと、スイッチＳＧ1 〜ＳＧn のうち非選択走査電極に対応したものとがオン状態となり、その他のスイッチはオフ状態となる。このときデータ電極駆動回路１２では、スイッチＤＤ1 〜ＤＤm がオン状態となり、スイッチＤＵ1 〜ＤＵm はオフ状態となる。次に走査電極駆動回路１１では、スイッチＳＤ1 〜ＳＤn のうち選択走査電極に対応したものと、スイッチＳＵ1 〜ＳＵn のうち非選択走査電極に対応したものとがオン状態となり、その他のスイッチはオフ状態となる。このときデータ電極駆動回路１２では、スイッチＤＵ1 〜ＤＵm のうち点灯データ電極に対応したものと、スイッチＤＤ1 〜ＤＤm のうち非点灯データ電極に対応したものとがオン状態となり、その他のスイッチはオフ状態となる。
【００３７】
例えば、１行目に配置された有機ＥＬ素子Ｅ1,1 、Ｅ2,1 を発光させた後に、２行目に配置された有機ＥＬ素子を発光させる場合には、走査電極駆動回路１１およびデータ電極駆動回路１２は以下のように動作する。有機ＥＬ素子Ｅ1,1 、Ｅ2,1 を発光させるときには、走査電極Ｙ1 が選択走査電極、走査電極Ｙ2 〜Ｙn が非選択走査電極、データ電極Ｘ1 、Ｘ2 が点灯データ電極、データ電極Ｘ3 〜Ｘm が非点灯データ電極となる。また、有機ＥＬ素子Ｅ1,1 、Ｅ2,1 以外の有機ＥＬ素子は、図１に示すように、第１〜第３グループＧ１〜Ｇ３に分類される。
【００３８】
有機ＥＬ素子Ｅ1,1 、Ｅ2,1 を発光させるためには、まず走査電極駆動回路１１では、スイッチＳＤ1 、ＳＧ2 〜ＳＧn がオン状態となり、その他のスイッチはオフ状態となる。データ電極駆動回路１２では、スイッチＤＤ1 〜ＤＤm がオン状態となり、スイッチＤＵ1 〜ＤＵm はオフ状態となる（図１を参照）。図１に示す状態では、有機ＥＬ素子Ｅ1,1 〜Ｅm,n は発光しない。
【００３９】
次に走査電極駆動回路１１では、スイッチＳＧ2 〜ＳＧn がオフ状態に変化し、スイッチＳＵ2 〜ＳＵn がオン状態に変化する。このときデータ電極駆動回路１２では、スイッチＤＤ1 、ＤＤ2 がオフ状態に変化し、スイッチＤＵ1 、ＤＵ2 がオン状態に変化する。この結果、走査電極駆動回路１１では、スイッチＳＤ1 、ＳＵ2 〜ＳＵn がオン状態となり、その他のスイッチはオフ状態となる。データ電極駆動回路１２では、スイッチＤＵ1 、ＤＵ2 、ＤＤ3 〜ＤＤm がオン状態となり、その他のスイッチはオフ状態となる（図２を参照）。図２に示す状態では、有機ＥＬ素子Ｅ1,1 、Ｅ2,1 は発光し、その他の有機ＥＬ素子は発光しない。
【００４０】
スイッチの状態が図２に示すように変化してから所定の時間が経過すると、有機ＥＬ表示装置は図３に示す定常状態となる。図３に示す状態でも、有機ＥＬ素子Ｅ1,1 、Ｅ2,1 は発光し、その他の有機ＥＬ素子は発光しない。
【００４１】
２行目に配置された有機ＥＬ素子を発光させるときには、走査電極Ｙ2 が選択走査電極、走査電極Ｙ1 、Ｙ3 〜Ｙn が非選択走査電極となる。まず走査電極駆動回路１１では、スイッチＳＤ2 、ＳＧ1 、ＳＧ3 〜ＳＧn がオン状態となり、その他のスイッチはオフ状態となる。データ電極駆動回路１２では、スイッチＤＤ1 〜ＤＤm がオン状態となり、スイッチＤＵ1 〜ＤＵm はオフ状態となる（図４を参照）。図４に示す状態では、有機ＥＬ素子Ｅ1,1 〜Ｅm,n は発光しない。これ以降、１行目と同様の処理が行われる。
【００４２】
図１に示す状態では、選択走査電極Ｙ1 には電圧（−Ｖａ）、非選択走査電極Ｙ2 〜Ｙn およびデータ電極Ｘ1 〜Ｘm には接地電圧が印加されている。このため、選択走査電極Ｙ1 に対応したｍ個の有機ＥＬ素子では、アノード電圧がカソード電圧よりもＶａだけ高くなる。したがって、選択走査電極Ｙ1 に対応したｍ個の有機ＥＬ素子は、電圧Ｖａによって充電される。ただし、両端の電圧がＶａとなっても有機ＥＬ素子が発光しないように、電圧（−Ｖａ）には、絶対値が有機ＥＬ素子の発光開始電圧Ｖｔｈよりも小さい電圧が使用される。よって、図１に示す状態では、有機ＥＬ素子Ｅ1,1 〜Ｅm,n は発光しない。
【００４３】
図２に示す状態では、選択走査電極Ｙ1 には電圧（−Ｖａ）、非選択走査電極Ｙ2 〜Ｙn には電圧Ｖｂ、非点灯データ電極Ｘ3 〜Ｘm には接地電圧が印加され、点灯データ電極Ｘ1 、Ｘ2 には定電流源の出力側端子が接続される。定電流源を流れる電流は一定であるので、スイッチの状態が図２に示すように変化した直後の点灯データ電極Ｘ1 、Ｘ2 の電圧は、各点灯データ電極に対応したｎ個の有機ＥＬ素子の容量結合によって、次式（１）に示す値になる。
Ｖｂ’＝｛（ｎ−１）／ｎ｝×（Ｖｂ＋Ｖａ）−Ｖａ  …（１）
このようにスイッチの状態が変化した直後の点灯データ電極Ｘ1 、Ｘ2 の電圧Ｖｂ’は、電圧Ｖｂにほぼ等しくなる。一方、スイッチの状態が変化した後も、非点灯データ電極Ｘ3 〜Ｘm の電圧は接地電圧のままである。
【００４４】
図２に示す状態では有機ＥＬ素子Ｅ1,1 、Ｅ2,1 のみが発光する理由は、以下のとおりである。有機ＥＬ素子Ｅ1,1 、Ｅ2,1 では、アノード側には電圧Ｖｂ’、カソード側には電圧（−Ｖａ）が印加されるので、両端の電圧は（Ｖｂ’＋Ｖａ）となる。ここで電圧Ｖｂには、電圧（Ｖｂ’＋Ｖａ）が発光開始電圧Ｖｔｈよりも大きくなるような電圧が使用される。このため、有機ＥＬ素子Ｅ1,1 、Ｅ2,1 は発光する。
【００４５】
第１グループ内の有機ＥＬ素子（有機ＥＬ素子Ｅ1,1 、Ｅ2,1 と同じ行に配置された有機ＥＬ素子）では、アノード側には接地電圧、カソード側には電圧（−Ｖａ）が印加されるので、両端の電圧はＶａとなる。上述したように、電圧（−Ｖａ）の絶対値は発光開始電圧Ｖｔｈよりも小さいので、第１グループ内の有機ＥＬ素子は発光しない。
【００４６】
第２グループ内の有機ＥＬ素子（有機ＥＬ素子Ｅ1,1 、Ｅ2,1 のいずれかと同じ列に配置された有機ＥＬ素子）では、アノード側には電圧Ｖｂ’、カソード側には電圧Ｖｂが印加されるので、両端の電圧は（Ｖｂ’−Ｖｂ）となる。電圧（Ｖｂ’−Ｖｂ）は負で発光開始電圧Ｖｔｈよりも小さいので、第２グループ内の有機ＥＬ素子は発光しない。
【００４７】
第３グループ内の有機ＥＬ素子（有機ＥＬ素子Ｅ1,1 、Ｅ2,1 と異なる行かつ異なる列に配置された有機ＥＬ素子）では、アノード側には接地電圧、カソード側には電圧Ｖｂが印加されるので、両端の電圧は−Ｖｂとなる。電圧（−Ｖｂ）は負で発光開始電圧Ｖｔｈよりも小さいので、第３グループ内の有機ＥＬ素子は発光しない。
【００４８】
図３に示す定常状態における定電流源の出力側電圧をＶｃとする。図３に示す状態では有機ＥＬ素子Ｅ1,1 、Ｅ2,1 のみが発光する理由は、以下のとおりである。有機ＥＬ素子Ｅ1,1 、Ｅ2,1 では、アノード側には電圧Ｖｃ、カソード側には電圧（−Ｖａ）が印加されるので、両端の電圧は（Ｖｃ＋Ｖａ）となる。ここで、データ電極駆動回路１２内の定電流源には、電圧（Ｖｃ＋Ｖａ）が発光開始電圧Ｖｔｈよりも大きくなるような電流源が使用される。このため、有機ＥＬ素子Ｅ1,1 、Ｅ2,1 は、定電流源から供給される電流に応じた所定の輝度で発光する。
【００４９】
第１および第３グループ内の有機ＥＬ素子のアノード側およびカソード側には、図２と同じ電圧が印加される。このため、第１および第３グループ内の有機ＥＬ素子は、引き続き発光しない。
【００５０】
第２グループ内の有機ＥＬ素子では、アノード側には電圧Ｖｃ、カソード側には電圧Ｖｂが印加されるので、両端の電圧は（Ｖｃ−Ｖｂ）となる。ここで、電圧Ｖｂには、電圧（Ｖｃ−Ｖｂ）が発光開始電圧Ｖｔｈより小さくなるような電圧が使用される。このため、第２グループ内の有機ＥＬ素子は発光しない。
【００５１】
このように本実施形態に係る駆動回路（すなわち、走査電極駆動回路１１およびデータ電極駆動回路１２）によれば、発光すべき有機ＥＬ素子には発光開始電圧Ｖｔｈよりも高い電圧を印加し、その他の有機ＥＬ素子には発光開始電圧Ｖｔｈよりも低い電圧を印加することができる。したがって、所望の有機ＥＬ素子を正しく発光させることができる。
【００５２】
以下、本実施形態に係る駆動回路が奏する効果について説明する。本実施形態に係る駆動回路によれば、第１〜第３のグループ内の有機ＥＬ素子には、それぞれ、電圧Ｖａ、電圧（Ｖｃ−Ｖｂ）および電圧（−Ｖｂ）が印加される。第１〜第３グループ内の有機ＥＬ素子はこれら３種類の電圧によって充電され、充電された電荷は選択する走査電極を切り替えるときに放電される。
【００５３】
本実施形態に係る有機ＥＬ表示装置における消費電力を検討するときには、第１グループには高々１行分の有機ＥＬ素子しか含まれず、第２および第３グループには（ｎ−１）行分の有機ＥＬ素子が含まれていないことから、ｎが十分大きいときには、第１グループ内の有機ＥＬ素子における充放電の影響を無視してもよい。また、消費電力を削減するために電圧Ｖｂには電圧Ｖｃとほぼ同じ電圧が使用されるので、第２グループ内の有機ＥＬ素子における充放電の影響も無視することができる。したがって、本実施形態に係る有機ＥＬ表示装置で発光とは無関係に消費される電力は、第３グループ内の有機ＥＬ素子（すなわち、発光する有機ＥＬ素子と異なる行かつ異なる列に配置された有機ＥＬ素子）の充放電によるものであると言える。
【００５４】
本実施形態に係る有機ＥＬ表示装置では、第３グループ内の有機ＥＬ素子における充放電によって、電圧Ｖｂの２乗に比例する電力が消費される。これに対して、特許文献１記載の有機ＥＬ表示装置では、この値は、電源電圧Ｖｃｃの２乗に比例する。発光すべき有機ＥＬ素子に印加される電圧を比べると分かるように、本実施形態における電圧（Ｖｃ＋Ｖａ）は特許文献１記載の電圧Ｖｃｃに相当する。また、電圧Ｖｂに電圧Ｖｃとほぼ同じ電圧を使用する点を考慮すると、Ｖｃｃ＝Ｖｃ＋Ｖａ＝Ｖｂ＋Ｖａであるから、本実施形態における電圧Ｖｂを特許文献１記載の電圧Ｖｃｃよりも低くすることができる。
【００５５】
このように、本実施形態に係る有機ＥＬ素子の駆動回路は、選択走査電極に接地電圧よりも低い電圧を印加して線順次駆動を行うことにより、発光とは無関係な消費電力を削減し、有機ＥＬ表示装置の消費電力を削減することができる。
【００５６】
また、特許文献２記載の駆動回路では、データ電極に印加される電圧を３とおりに、走査電極に印加される電圧を２とおりに切り替えるために、データ電極１個あたり３個のスイッチと走査電極１個あたり２個のスイッチとが必要とされる。これに対して、本実施形態に係る駆動回路では、データ電極に印加される電圧を２とおりに、走査電極に印加される電圧を３とおりに切り替えるために、データ電極１個あたり２個のスイッチと走査電極１個あたり２個のスイッチとが必要とされる。
【００５７】
したがって、データ電極がｍ個、走査電極がｎ個の場合に必要とされるスイッチの総数は、特許文献２では（３ｍ＋２ｎ）個であるのに対して、本実施形態では（２ｍ＋３ｎ）個である。カラー表示を行う場合には、１つの画素を構成する３つの有機ＥＬ素子（それぞれ赤、緑、青に対応）は走査電極が伸びる方向に並べて配置されるので、ｍ＞ｎが成立する。このように、カラー表示を行う場合を始めとして、ｍ＞ｎである場合には、本実施形態に係る駆動回路は、特許文献２記載の駆動回路よりも少ないスイッチで構成することができる。
【００５８】
（第２の実施形態）
図５〜図８は、本発明の第２の実施形態に係る有機ＥＬ表示装置の構成と動作を示す図である。本実施形態に係る有機ＥＬ素子の駆動回路は、走査電極駆動回路２１とデータ電極駆動回路２２とを備えている。本実施形態の構成要素のうち第１の実施形態と同じ構成要素については、同一の参照符号を付して説明を省略する。
【００５９】
走査電極駆動回路２１は、各走査電極Ｙj について２個のスイッチＳＤj 、ＳＵj を含み、これらのスイッチを用いて走査電極Ｙj を駆動する。データ電極駆動回路２２は、各データ電極Ｘi について２個のスイッチＤＵi 、ＤＤi を含み、これらのスイッチを用いてデータ電極Ｘi を駆動する。
【００６０】
走査電極駆動回路２１は、走査電極Ｙ1 〜Ｙn に印加される電圧を電圧（−Ｖａ）と電圧Ｖｂとの間で切り替えることにより、走査電極Ｙ1 〜Ｙn の中から１個の走査電極を選択する。データ電極駆動回路２２は、データ電極Ｘ1 〜Ｘm を定電流源の出力側電圧に接続するか、接地電圧に接続するか、あるいは、定電流源の出力側電圧にも接地電圧にも接続しないかのいずれかに切り替える。
【００６１】
走査電極駆動回路２１およびデータ電極駆動回路２２に含まれるスイッチの状態は、以下のように変化する。まず走査電極駆動回路２１では、スイッチＳＤ1 〜ＳＤn のうち選択走査電極に対応したものと、スイッチＳＵ1 〜ＳＵn のうち非選択走査電極に対応したものとがオン状態となり、その他のスイッチはオフ状態となる。このときデータ電極駆動回路２２では、スイッチＤＤ1 〜ＤＤm のうち非点灯データ電極に対応したものがオン状態となり、その他のスイッチはオフ状態となる。次に走査電極駆動回路２１に含まれるスイッチの状態はそのままで、データ電極駆動回路２２では、スイッチＤＵ1 〜ＤＵm のうち点灯データ電極に対応したものと、スイッチＤＤ1 〜ＤＤn のうち非点灯データ電極に対応したものとがオン状態となり、その他のスイッチはオフ状態となる。
【００６２】
例えば、１行目に配置された有機ＥＬ素子Ｅ1,1 、Ｅ2,1 を発光させた後に、２行目に配置された有機ＥＬ素子Ｅ2,2 、Ｅ3,2 を発光させる場合には、走査電極駆動回路２１およびデータ電極駆動回路２２は以下のように動作する。有機ＥＬ素子Ｅ1,1 、Ｅ2,1 を発光させるためには、まず走査電極駆動回路２１では、スイッチＳＤ1 、ＳＵ2 〜ＳＵn がオン状態になり、その他のスイッチはオフ状態となる。データ電極駆動回路２２では、スイッチＤＤ3 〜ＤＤm がオン状態となり、その他のスイッチはオフ状態となる（図５を参照）。図５に示す状態では、有機ＥＬ素子Ｅ1,1 、Ｅ2,1 は発光し、その他の有機ＥＬ素子は発光しない。
【００６３】
次に走査電極駆動回路２１に含まれるスイッチの状態はそのままで、データ電極駆動回路２２では、スイッチＤＵ1 、ＤＵ2 がオン状態に変化する。この結果、走査電極駆動回路２１では、スイッチＳＤ1 、ＳＵ2 〜ＳＵn がオン状態になり、その他のスイッチはオフ状態となる。データ電極駆動回路２２では、スイッチＤＵ1 、ＤＵ2 、ＤＤ3 〜ＤＤm がオン状態となり、その他のスイッチはオフ状態となる（図６を参照）。図６に示す状態でも、有機ＥＬ素子Ｅ1,1 、Ｅ2,1 は発光し、その他の有機ＥＬ素子は発光しない。
【００６４】
有機ＥＬ素子Ｅ2,2 、Ｅ3,2 を発光させるためには、まず走査電極駆動回路２１では、スイッチＳＤ2 、ＳＵ1 、ＳＵ3 〜ＳＵn がオン状態になり、その他のスイッチはオフ状態となる。データ電極駆動回路２２では、スイッチＤＤ1 、ＤＤ4 〜ＤＤm がオン状態となり、その他のスイッチはオフ状態となる（図７を参照）。図７に示す状態では、有機ＥＬ素子Ｅ2,2 、Ｅ3,2 は発光し、その他の有機ＥＬ素子は発光しない。
【００６５】
次に走査電極駆動回路２１に含まれるスイッチの状態はそのままで、データ電極駆動回路２２では、スイッチＤＵ2 、ＤＵ3 がオン状態に変化する。この結果、走査電極駆動回路２１では、スイッチＳＤ2 、ＳＵ1 、ＳＵ3 〜ＳＵn がオン状態になり、その他のスイッチはオフ状態となる。データ電極駆動回路２２では、スイッチＤＵ2 、ＤＵ3 、ＤＤ1 、ＤＤ4 〜ＤＤm がオン状態となり、その他のスイッチはオフ状態となる（図８を参照）。図８に示す状態でも、有機ＥＬ素子Ｅ2,2 、Ｅ3,2 は発光し、その他の有機ＥＬ素子は発光しない。
【００６６】
図５に示す状態では、選択走査電極Ｙ1 には電圧（−Ｖａ）、非選択走査電極Ｙ2 〜Ｙn には電圧Ｖｂ、非点灯データ電極Ｘ3 〜Ｘm には接地電圧が印加され、点灯データ電極Ｘ1 、Ｘ2 はフローティング状態となる。図５に示す状態における点灯データ電極Ｘ1 、Ｘ2 の電圧Ｖｂ’は、各点灯データ電極に対応したｎ個の有機ＥＬ素子の容量結合によって、次式（２）に示す値になる。
Ｖｂ’＝｛（ｎ−１）／ｎ｝×（Ｖｂ＋Ｖａ）−Ｖａ  …（２）
第１の実施形態と同じく、電圧Ｖｂ’は電圧Ｖｂにほぼ等しくなる。
【００６７】
図５に示す状態において有機ＥＬ素子Ｅ1,1 、Ｅ2,1 のみが発光する理由は、図２に示す状態の場合と同じである。すなわち、有機ＥＬ素子Ｅ1,1 、Ｅ2,1 の両端の電圧は（Ｖｂ’＋Ｖａ）となるが、電圧Ｖｂには電圧（Ｖｂ’＋Ｖａ）が発光開始電圧Ｖｔｈよりも大きくなるような電圧が使用される。第１グループ内の有機ＥＬ素子の両端の電圧はＶａとなるが、電圧Ｖａは発光開始電圧Ｖｔｈよりも小さい。第２グループ内の有機ＥＬ素子の両端の電圧は（Ｖｂ’−Ｖｂ）となるが、電圧（Ｖｂ’−Ｖｂ）は負で発光開始電圧Ｖｔｈよりも小さい。第３グループ内の有機ＥＬ素子の両端の電圧は−Ｖｂとなるが、電圧（−Ｖｂ）は負で発光開始電圧Ｖｔｈよりも小さい。以上のことから、有機ＥＬ素子Ｅ1,1 、Ｅ2,1 は発光するが、第１〜第３グループ内の有機ＥＬ素子は発光しない。
【００６８】
図６に示す状態において有機ＥＬ素子Ｅ1,1 、Ｅ2,1 のみが発光する理由は、図３に示す状態の場合と同じである。すなわち、図６における定電流源の出力側電圧をＶｃとすると、有機ＥＬ素子Ｅ1,1 、Ｅ2,1 の両端の電圧は（Ｖｃ＋Ｖａ）となるが、データ電極駆動回路２２内の定電流源には、電圧（Ｖｃ＋Ｖａ）が発光開始電圧Ｖｔｈよりも大きくなるような電流源が使用される。第１および第３グループ内の有機ＥＬ素子のアノード側およびカソード側には、図５と同じ電圧が印加される。第２グループ内の有機ＥＬ素子の両端の電圧は（Ｖｃ−Ｖｂ）となるが、電圧Ｖｂには電圧（Ｖｃ−Ｖｂ）が発光開始電圧Ｖｔｈより小さくなるような電圧が使用される。以上のことから、有機ＥＬ素子Ｅ1,1 、Ｅ2,1 は定電流源から供給される電流に応じた所定の輝度で発光し、第１〜第３グループ内の有機ＥＬ素子は発光しない。
【００６９】
図７および図８に示す状態において有機ＥＬ素子Ｅ2,2 、Ｅ3,2 のみが発光する理由は、上記と同様であるので、ここでは説明を省略する。
【００７０】
このように本実施形態に係る駆動回路（すなわち、走査電極駆動回路２１およびデータ電極駆動回路２２）は、有機ＥＬ素子Ｅ1,1 〜Ｅm,n に対して第１の実施形態と同じ電圧を印加する。したがって、本実施形態に係る駆動回路によれば、第１の実施形態と同様に、発光とは無関係な消費電力を削減し、有機ＥＬ表示装置の消費電力を削減することができる。
【００７１】
また、本実施形態に係る駆動回路では、データ電極に印加される電圧を２とおりに、走査電極に印加される電圧を２とおりに切り替えるために、データ電極がｍ個、走査電極がｎ個の場合に必要とされるスイッチの総数は（２ｎ＋２ｍ）個となる。したがって、本実施形態に係る駆動回路によれば、従来よりも少ないコストで上記の効果を奏することができる。
【００７２】
（第３の実施形態）
図９〜図１２は、本発明の第３の実施形態に係る有機ＥＬ表示装置の構成と動作を示す図である。本実施形態に係る有機ＥＬ素子の駆動回路は、走査電極駆動回路２１とデータ電極駆動回路３２とを備えている。本実施形態の構成要素のうち第１または第２の実施形態と同じ構成要素については、同一の参照符号を付して説明を省略する。
【００７３】
データ電極駆動回路３２は、各データ電極Ｘi について３個のスイッチＤＵi 、ＤＤi 、ＤＳi を含み、これらのスイッチを用いてデータ電極Ｘi を駆動する。スイッチＤＳi は、データ電極Ｘi を所定の電圧Ｖｄに接続するか否かを切り替える。一般的に電圧Ｖｄには、定常状態における定電流源の出力側電圧Ｖｃとほぼ同じ電圧が使用される。データ電極駆動回路３２は、データ電極Ｘ1 〜Ｘm に印加される電圧を定電流源の出力側電圧Ｖｃと電圧Ｖｄと接地電圧との間で切り替える。
【００７４】
走査電極駆動回路２１およびデータ電極駆動回路３２に含まれるスイッチの状態は、以下のように変化する。まず走査電極駆動回路２１では、スイッチＳＤ1 〜ＳＤn のうち選択走査電極に対応したものと、スイッチＳＵ1 〜ＳＵn のうち非選択走査電極に対応したものとがオン状態となり、その他のスイッチはオフ状態となる。このときデータ電極駆動回路３２では、スイッチＤＳ1 〜ＤＳm のうち点灯データ電極に対応したものと、スイッチＤＤ1 〜ＤＤm のうち非点灯データ電極に対応したものとがオン状態となり、その他のスイッチはオフ状態となる。次に走査電極駆動回路２１に含まれるスイッチの状態はそのままで、データ電極駆動回路３２では、スイッチＤＵ1 〜ＤＵm のうち点灯データ電極に対応したものと、スイッチＤＤ1 〜ＤＤn のうち非点灯データ電極に対応したものとがオン状態となり、その他のスイッチはオフ状態となる。
【００７５】
例えば、１行目に配置された有機ＥＬ素子Ｅ1,1 、Ｅ2,1 を発光させた後に、２行目に配置された有機ＥＬ素子Ｅ2,2 、Ｅ3,2 を発光させる場合には、走査電極駆動回路２１およびデータ電極駆動回路３２は以下のように動作する。有機ＥＬ素子Ｅ1,1 、Ｅ2,1 を発光させるためには、まず走査電極駆動回路２１では、スイッチＳＤ1 、ＳＵ2 〜ＳＵn がオン状態になり、その他のスイッチはオフ状態となる。データ電極駆動回路３２では、スイッチＤＳ1 、ＤＳ2 、ＤＤ3 〜ＤＤm がオン状態となり、その他のスイッチはオフ状態となる（図９を参照）。図９に示す状態では、有機ＥＬ素子Ｅ1,1 、Ｅ2,1 は発光し、その他の有機ＥＬ素子は発光しない。
【００７６】
次に走査電極駆動回路２１に含まれるスイッチの状態はそのままで、データ電極駆動回路３２では、スイッチＤＳ1 、ＤＳ2 がオフ状態に変化し、スイッチＤＵ1 、ＤＵ2 がオン状態に変化する。この結果、走査電極駆動回路２１では、スイッチＳＤ1 、ＳＵ2 〜ＳＵn がオン状態になり、その他のスイッチはオフ状態となる。データ電極駆動回路２２では、スイッチＤＵ1 、ＤＵ2 、ＤＤ3 〜ＤＤm がオン状態となり、その他のスイッチはオフ状態となる（図１０を参照）。図１０に示す状態でも、有機ＥＬ素子Ｅ1,1 、Ｅ2,1 は発光し、その他の有機ＥＬ素子は発光しない。
【００７７】
有機ＥＬ素子Ｅ2,2 、Ｅ3,2 を発光させるためには、まず走査電極駆動回路２１では、スイッチＳＤ2 、ＳＵ1 、ＳＵ3 〜ＳＵn がオン状態となり、その他のスイッチはオフ状態となる。データ電極駆動回路３２では、スイッチＤＳ2 、ＤＳ3 、ＤＤ1 、ＤＤ4 〜ＤＤm がオン状態となり、その他のスイッチはオフ状態となる（図１１を参照）。図１１に示す状態では、有機ＥＬ素子Ｅ2,2 、Ｅ3,2 は発光し、その他の有機ＥＬ素子は発光しない。
【００７８】
次に走査電極駆動回路２１に含まれるスイッチの状態はそのままで、データ電極駆動回路３２では、スイッチＤＳ2 、ＤＳ3 がオフ状態に変化し、スイッチＤＵ2 、ＤＵ3 がオン状態に変化する。この結果、走査電極駆動回路２１では、スイッチＳＤ2 、ＳＵ1 、ＳＵ3 〜ＳＵn がオン状態になり、その他のスイッチはオフ状態となる。データ電極駆動回路３２では、スイッチＤＵ2 、ＤＵ3 、ＤＤ1 、ＤＤ4 〜ＤＤm がオン状態となり、その他のスイッチはオフ状態となる（図１２を参照）。図１２に示す状態でも、有機ＥＬ素子Ｅ2,2 、Ｅ3,2 は発光し、その他の有機ＥＬ素子は発光しない。
【００７９】
図９に示す状態では、選択走査電極Ｙ1 には電圧（−Ｖａ）、非選択走査電極Ｙ2 〜Ｙn には電圧Ｖｂ、点灯データ電極Ｘ1 、Ｘ2 には電圧Ｖｄ、非点灯データ電極Ｘ3 〜Ｘm には接地電圧が印加される。
【００８０】
図９に示す状態において有機ＥＬ素子Ｅ1,1 、Ｅ2,1 のみが発光する理由は、図２に示す状態の場合とほぼ同じである。すなわち、有機ＥＬ素子Ｅ1,1 、Ｅ2,1 の両端の電圧は（Ｖｄ＋Ｖａ）となるが、電圧Ｖｄには電圧（Ｖｄ＋Ｖａ）が発光開始電圧Ｖｔｈよりも大きくなるような電圧が使用される。第１グループ内の有機ＥＬ素子の両端の電圧はＶａとなるが、電圧Ｖａは発光開始電圧Ｖｔｈよりも小さい。第２グループ内の有機ＥＬ素子の両端の電圧は（Ｖｄ−Ｖｂ）となるが、電圧Ｖｂには電圧（Ｖｄ−Ｖｂ）が発光開始電圧Ｖｔｈよりも小さくなるような電圧が使用される。第３グループ内の有機ＥＬ素子の両端の電圧は−Ｖｂとなるが、電圧（−Ｖｂ）は負で発光開始電圧Ｖｔｈよりも小さい。以上のことから、有機ＥＬ素子Ｅ1,1 、Ｅ2,1 は発光するが、第１〜第３グループ内の有機ＥＬ素子は発光しない。
【００８１】
図１０に示す状態において有機ＥＬ素子Ｅ1,1 、Ｅ2,1 のみが発光する理由は、図３に示す状態の場合と同じである。すなわち、図１０における定電流源の出力側電圧をＶｃとすると、有機ＥＬ素子Ｅ1,1 、Ｅ2,1 の両端の電圧は（Ｖｃ＋Ｖａ）となるが、データ電極駆動回路３２内の定電流源には、電圧（Ｖｃ＋Ｖａ）が発光開始電圧Ｖｔｈよりも大きくなるような電流源が使用される。第１および第３グループ内の有機ＥＬ素子のアノード側およびカソード側には、図９と同じ電圧が印加される。第２グループ内の有機ＥＬ素子の両端の電圧は（Ｖｃ−Ｖｂ）となるが、電圧Ｖｂには電圧（Ｖｃ−Ｖｂ）が発光開始電圧Ｖｔｈより小さくなるような電圧が使用される。以上のことから、有機ＥＬ素子Ｅ1,1 、Ｅ2,1 は定電流源から供給される電流に応じた所定の輝度で発光し、第１〜第３グループ内の有機ＥＬ素子は発光しない。
【００８２】
図１１および図１２に示す状態において有機ＥＬ素子Ｅ2,2 、Ｅ3,2 のみが発光する理由は、上記と同様であるので、ここでは説明を省略する。
【００８３】
このように本実施形態に係る駆動回路（すなわち、走査電極駆動回路２１およびデータ電極駆動回路３２）は、定常状態では、有機ＥＬ素子Ｅ1,1 〜Ｅm,n に対して第１の実施形態と同じ電圧を印加する。したがって、本実施形態に係る駆動回路によれば、第１および第２の実施形態と同様に、発光とは無関係な消費電力を削減し、有機ＥＬ表示装置の消費電力を削減することができる。
【００８４】
また、本実施形態に係る駆動回路は、データ電極に対して予め所定の電圧Ｖｄを印加する。これにより、発光すべき有機ＥＬ素子に印加される電圧が発光開始電圧に到達するまでの時間を短縮し、有機ＥＬ素子を短時間で発光させることができる。
【００８５】
また、本実施形態に係る駆動回路は、データ電極に印加される電圧を３とおりに、走査電極に印加される電圧を２とおりに切り替えるために、特許文献２記載の駆動回路と同数のスイッチが必要とされる。しかしながら、特許文献２では、有機ＥＬ素子を短時間で発光させるために、有機ＥＬ素子に蓄積された電荷をすべてリセットする処理が行われているが、本実施形態ではそのような処理は行われていない。したがって、本実施形態に係る駆動回路によれば、特許文献２記載の駆動回路と比べて、リセット期間をなくして有機ＥＬ素子が発光している期間を長くすることにより、輝度を高くすることができる。
【図面の簡単な説明】
【００８６】
【図１】本発明の第１の実施形態に係る有機ＥＬ表示装置を示す図である。
【図２】図１の続図である。
【図３】図２の続図である。
【図４】図３の続図である。
【図５】本発明の第２の実施形態に係る有機ＥＬ表示装置を示す図である。
【図６】図５の続図である。
【図７】図６の続図である。
【図８】図７の続図である。
【図９】本発明の第３の実施形態に係る有機ＥＬ表示装置を示す図である。
【図１０】図９の続図である。
【図１１】図１０の続図である。
【図１２】図１１の続図である。
【図１３】従来の有機ＥＬ表示装置を示す図である。
【図１４】図１３の続図である。
【図１５】図１４の続図である。
【図１６】図１５の続図である。
【符号の説明】
【００８７】
１１、２１…走査電極駆動回路
１２、２２、３２…データ電極駆動回路
Ｅ1,1 〜Ｅm,n …有機ＥＬ素子
Ｘ1 〜Ｘm …データ電極
Ｙ1 〜Ｙn …走査電極
ＳＤ1 〜ＳＤn 、ＳＵ1 〜ＳＵn 、ＳＧ1 〜ＳＧn …走査電極駆動回路内のスイッチ
ＤＤ1 〜ＤＤm 、ＤＵ1 〜ＤＵm 、ＤＳ1 〜ＤＳm …データ電極駆動回路内のスイッチ
【図１】
2006349928.tif 000003
【図２】
2006349928.tif 000004
【図３】
2006349928.tif 000005
【図４】
2006349928.tif 000006
【図５】
2006349928.tif 000007
【図６】
2006349928.tif 000008
【図７】
2006349928.tif 000009
【図８】
2006349928.tif 000010
【図９】
2006349928.tif 000011
【図１０】
2006349928.tif 000012
【図１１】
2006349928.tif 000013
【図１２】
2006349928.tif 000014
【図１３】
2006349928.tif 000015
【図１４】
2006349928.tif 000016
【図１５】
2006349928.tif 000017
【図１６】
2006349928.tif 000018